(57)【要約】      （修正有）【課題】バイオフィルトレーション及びバイオダイナミゼーションプロセスのための生体適合性を改善する装置を提供する。【解決手段】装置は光信号を生成し、それが音情報によって変調される、電子デバイスを含む。装置は、銅のレムニスケート様式３７を使用する。レムニスケートの流形によって、水の再酸素化、再活性化、及び回復を可能にする。優れた導体である銅は、レムニスケートを循環する水に周波エネルギーを伝達し、電子の電荷を改善する。銅はヘモグロビンの合成に必要であることから、イオンの形態での銅の放出は、貧血と闘うなどの多くの利点を有し、より良好な鉄吸収を可能にする。【選択図】図１
2019126702.tif 000002
【特許請求の範囲】
【請求項１】
バイオフィルトレーション及びバイオダイナミゼーションのための高周波の光線及び音波を生成する装置であって、
光信号を生成し、該光信号が音情報によって変調される、電子デバイスと、
レムニスケートの流形が、渓流の渦及びボルテックスを模倣しており、かつ、水の再酸素化、再活性化、及び回復を可能にする、銅のレムニスケート様式（３７）と
を含む、装置。
【請求項２】
水の流れが、前記レムニスケートの双極性の８の字形状を通じて多数のマイクロ渦を作り出すことを特徴とする、請求項１に記載の装置。
【請求項３】
高電磁付勢周波が、バイオダイナミゼーションされたモジュールを通して、前記レムニスケートの銅金属に接続され、銅が、前記レムニスケートを循環する水に前記周波のエネルギーを伝達し、電子の電荷を改善することを特徴とする、請求項１に記載の装置。
【請求項４】
前記電子デバイスが、光子及び赤外線波を使用して、ダイナミゼーションされた水の振動情報に前記音情報を伝えることを特徴とする、請求項１に記載の装置。
【請求項５】
前記音波が水の物理化学的パラメータを改善して、生体適合性の水を生成することを特徴とする、請求項１に記載の装置。
【請求項６】
高周波の音波が室内環境を調和させることを特徴とする、請求項１に記載の装置。
【発明の詳細な説明】
【技術分野】
【０００１】
本明細書に記載される実施形態は、概して、水の浄化の分野に関し、より詳細には、バイオフィルトレーション及びバイオダイナミゼーションのための高周波の光線及び音波を生成する装置に関する。
【背景技術】
【０００２】
水は、地表において、固体、液体、及び気体の全ての３つの一般的な相において自然発生する、地球上で最も一般的な資源である。水の典型的な特性に依存しているすべての知られている生き物にとって、水は不可欠である。すべての生物系は酸化還元反応を含んでいる。よって、ろ過された水は、物理的に、化学的に、及び微生物学的に純粋であり、また、生体の水に適合性の分子構造又はクラスタ化を有するようにさらに処理される。水浄化システムにおける近年の開発は、水の分子構造のコヒーレンスを増幅し、かつ、体細胞及びＤＮＡ（デオキシリボ核酸）に滋養（nourishment）を供給する電子的及び光子的な豊かさ（richness）を増加する、さまざまな装置の開発につながっている。
【０００３】
さまざまな種類の従来の水のダイナミゼーション及び浄化システムが先行技術において知られており、それらのほとんどは、水の浄化プロセスに活性炭を使用する。例えば、特許文献１には、水の処理に有用な水浄化システムが記載されている。特許請求されるシステムは、水内に超音波を発するように適合された少なくとも１つの第１の超音波トランスジューサ（ＵＳＷ１）を含んでおり、該超音波トランスジューサは、共振金属表面と、該金属振動面上に固定された少なくとも１つのプラスチック層（ＫＬ）とを含んでいる。少なくとも１つのプラスチック層の音速は、金属振動面の音速と水の音速との間にある。超音波トランスジューサを用いて超音波を発生させる工程、超音波トランスジューサの金属振動面に取り付けられたプラスチック層によって超音波の音速を調整する工程、及び水中で調整された音速で超音波を送達する工程を含む、水を浄化するために水を処理するための独立請求項も含まれている。
【先行技術文献】
【特許文献】
【０００４】
【特許文献１】独国特許出願公開第１０２０１２１０００３２号明細書
【発明の概要】
【発明が解決しようとする課題】
【０００５】
典型的には、従来の水のダイナミゼーション及び浄化システムは活性炭を使用する。活性炭の使用は、細菌学的汚染の傾向が強いという理由により、しばしば禁止されている。したがって、上記問題を克服し、かつ、水の生体適合性を改善する装置が必要とされている。
【課題を解決するための手段】
【０００６】
本発明は、バイオフィルトレーション及びバイオダイナミゼーションのための装置を取り入れることによって、上記問題を克服する。本装置は、水の再酸素化、再活性化、及び回復（rejuvenate）を可能にする、銅のレムニスケート流形様式（flowforms design）を有している。優れた導体である銅は、レムニスケートを循環する水に周波エネルギーを伝達し、かつ、電子の電荷を改善する。銅はヘモグロビンの合成に必要であることから、イオンの形態での銅の放出は、貧血と闘うなどの多くの利点を有し、より良好な鉄吸収を可能にする。本発明は、水を活性化し、かつ、体内水分との生体適合性を改善する。
【０００７】
上記観点から、本明細書に記載されるある実施形態は、バイオフィルトレーション及びバイオダイナミゼーションプロセスのための高周波の光線及び音波を生成する装置を提供する。本装置は、光信号を生成する電子デバイスを含む。該光信号は音情報によって変調される。本装置は、レムニスケートの流形様式を使用する。レムニスケートの流形は、渓流（mountain stream）の渦及びボルテックス（swirls and a vortex）を模倣しており、かつ、水の再酸素化、再活性化、及び回復を可能にする。
【０００８】
一実施形態において、水の流れは、レムニスケートの双極性の８の字形状を通じて、多数のマイクロ渦（micro vortices）を生成する。ある実施形態では、高電磁付勢周波（high electromagnetic energizing frequency）は、バイオダイナミゼーションされたモジュールを通してレムニスケートの銅金属に接続される。別の実施形態では、優れた導体である銅は、レムニスケートを循環する水に周波エネルギーを伝達し、かつ、電子の電荷を改善する。
【０００９】
一実施形態において、電子デバイスは、光子及び赤外線波を使用して、ダイナミゼーションされた水に音情報を伝える。ある実施形態では、電子デバイスは、光子及び赤外線波を使用して、ダイナミゼーションされた水の振動情報に音情報を伝える。別の実施形態では、音波は、水の物理化学的パラメータを改善して、生体適合性の水を生成する。別の実施形態では、高周波の音波は、室内環境（room ambiance）を調和させる。
【００１０】
本明細書に記載される実施形態のこれら及び他の態様は、以下の説明及び添付の図面と併せて考慮する場合に、より良く認識及び理解されよう。しかしながら、以下の説明は、好ましい実施形態及びその多くの特定の詳細を示しつつ、例示として与えられているのであって、制限されないことが理解されるべきである。本明細書に記載される実施形態の範囲内において、その精神から逸脱することなく、多くの変更及び修正がなされる可能性があり、本明細書に記載される実施形態は、そのような修正をすべて包含する。
【００１１】
本明細書に記載される実施形態は、図面を参照しつつ、以下の詳細な説明からよりよく理解されよう。
【図面の簡単な説明】
【００１２】
【図１】バイオダイナミゼーションする高周波を用いた、銅レムニスケートの流れの略図
【発明を実施するための形態】
【００１３】
本明細書に記載される実施形態、及びそれらのさまざまな特徴及び利点は、添付の図面に例証され、かつ、以下の説明において詳述される、非限定的な実施形態を参照しつつ、さらに十分に説明される。良く知られている構成要素及び処理技法についての説明は、本明細書に記載される実施形態を不必要に曖昧にしないように、省略されている。本明細書で用いられる例は、単に、本明細書に記載される実施形態が実施されうる方法の理解を促し、さらには当業者が本明細書に記載される実施形態を実施できるようにすることが意図されている。したがって、例は、本明細書に記載される実施形態の範囲を制限していると解釈されるべきではない。
【００１４】
本明細書に記載される実施形態は、バイオフィルトレーション及びバイオダイナミゼーションのための高周波の光線及び音波を生成する装置を提供することによって、これを実現する。
【００１５】
図１は、装置の透視図を示している。本装置は、コネクタ（１１）、可撓管（１３）、接続／ウォーターイン（１５）、水ストレーナ（１７）、ソレノイドバルブ（１９）、低圧スイッチ（２１）、プレカーボンフィルタ（２３）、セディメントフィルタ（２５）、ブースターポンプ（２７）、逆浸透膜（２９）、排出レギュレータ（３１）、自動フラッシュバルブ（３３）、バイオダイナミゼーションを伴うポスト活性炭（３５）、銅レムニスケート（３７）、及びタンク（３９）を含む。冷水は、コネクタ（１１）を通して供給される。タンク（３９）は、フロートレバースイッチ（４１）、純銀電極（４３）、及び最終出力バルブ（４５）を有している。銅レムニスケート（３７）は、それを通じて水の流れが多数のマイクロ渦を生成し、かつ、水を活性化する、双極性の８の字形状の銅レムニスケート様式を有しており、消費者の体内水分との生体適合性を改善する。バイオダイナミゼーションされたモジュールを通る高電磁付勢周波は、レムニスケートを循環する水に高電磁付勢周波エネルギーを伝達し、かつ、電子の電荷を改善する、レムニスケートの銅金属に接続される。水が銅レムニスケート（３７）を通過すると、水は、より富化され（enriched）、かつ、酸素化される。
【００１６】
銅レムニスケートは、貧血と闘うなど、多くの人間の健康上の利益を有する、イオン形態の銅を放出し、銅は、より良好な鉄吸収を可能にする。光及び音のシステムを通じて伝えられる高周波の音波はまた、室内環境も調和している。
【００１７】
上述したように、特定の実施形態の前述の説明から、本明細書に記載される実施形態の一般的な性質が十分に明らかになるが、他の人々は、現在の知識を適用することによって、一般概念から逸脱することなく、このような特定の実施形態をさまざまな用途に容易に修正及び／又は適合することができ、したがって、このような適合及び修正は、開示される実施形態の等価物の意味及び範囲内に包含されるべきであり、包含されることが意図されている。本明細書で用いられる語句又は用語は、説明の目的であって限定されないことが理解されるべきである。したがって、本明細書に記載される実施形態は、好ましい実施形態に関して記載されているが、当業者は、本明細書に記載される実施形態が、添付の特許請求の範囲の精神及び範囲内において修正を伴って実施することができることを認識するであろう。
【符号の説明】
【００１８】
１１  コネクタ
１３  可撓管
１５  接続／ウォーターイン
１７  水ストレーナ
１９  ソレノイドバルブ
２１  低圧スイッチ
２３  プレカーボンフィルタ
２５  セディメントフィルタ
２７  ブースターポンプ
２９  逆浸透膜
３１  排出レギュレータ
３３  自動フラッシュバルブ
３５  バイオダイナミゼーションを伴うポスト活性炭
３７  銅レムニスケート
３９  タンク
４１  フロートレバースイッチ
４３  純銀電極
４５  最終出力バルブ
【図１】
2019126702.tif 000003